(57)【特許請求の範囲】
【請求項１】
（ａ）２列以上に配置されたバッテリーモジュールを有するバッテリーモジュールアレイであって、各バッテリーモジュールが、内部に取り付けられた２つ以上のバッテリーセルまたはユニットモジュールを有しており、各バッテリーセルまたはユニットモジュールが上下逆となるように立てられた状態で並べられた構造を有するように構成された、バッテリーモジュールアレイと、
（ｂ）前記バッテリーモジュールアレイの最も外側にあるバッテリーモジュールと緊密に接触して前記バッテリーモジュールアレイの前方及び後方それぞれを支持するための一対の側面支持部材（前方支持部材及び後方支持部材）と、
（ｃ）前記バッテリーモジュールアレイの下端部を支持するために、前記各側面支持部材の下端部に連結された下端部支持部材と、
（ｄ）前記各側面支持部材の上端部及び前記バッテリーモジュールの下端部に連結された２つ以上の第１上方取付部材であって、各第１上方取付部材の一端部が外部装置に留められる、第１上方取付部材と、
（ｅ）前記第１上方取付部材と直角に交差するように前記第１上方取付部材の上端部に連結された第２上方取付部材であって、該第２上方取付部材の両端部が前記外部装置に留められる、第２上方取付部材と、
（ｆ）前記バッテリーモジュールアレイの後方に配置された後方取付部材であって、該後方取付部材の両端部が前記外部装置に留められる、後方取付部材と、
（ｇ）前記各側面支持部材を介して前記後方取付部材に前記バッテリーモジュールの荷重を分配するために、前記各側面支持部材の少なくとも一方と前記後方取付部材との間に連結されたブラケットと、
を備えることを特徴とするバッテリーパック。
【請求項２】
前記各側面支持部材は、平面で矩形形状に形成されていることを特徴とする請求項１に記載のバッテリーパック。
【請求項３】
前記下端部支持部材の下方部分に取り付けられた下部プレートをさらに備え、前記下部プレートの両端部は、前記各側面支持部材に連結されていることを特徴とする請求項１に記載のバッテリーパック。
【請求項４】
前記第１上方取付部材は、前記バッテリーモジュールアレイの両端部に連結された２つの端部部材と、前記バッテリーモジュールアレイの中央部に連結された中央部材と、を備えていることを特徴とする請求項１に記載のバッテリーパック。
【請求項５】
前記外部装置に留められる前記第１上方取付部材のそれぞれの端部は、前記第２上方取付部材の高さの分だけ上方に曲げられていることを特徴とする請求項１に記載のバッテリーパック。
【請求項６】
前記バッテリーモジュールアレイと前記第１上方取付部材との間に取り付けられた上部プレートをさらに備えることを特徴とする請求項１に記載のバッテリーパック。
【請求項７】
前記後方取付部材は、前記バッテリーモジュールの前方に取り付けられた冷却ファンの両側及び底部を覆うために、Ｕ字状のフレーム構造を有するように構成されていることを特徴とする請求項１に記載のバッテリーパック。
【請求項８】
前記後方取付部材の前記両端部は、前記外部装置と容易に連結するために、前記第２上方取付部材と平行に曲げられており、留め穴が、前記後方取付部材の曲げられた部分に形成されていることを特徴とする請求項１に記載のバッテリーパック。
【請求項９】
前記ブラケットは、前記各側面支持部材に連結された一端部と、前記後方取付部材に連結された他端部と、を有しており、前記ブラケットは、該ブラケットが取付けられた前記各側面支持部材と前記後方取付部材との間のスペースに対応するように曲げられていることを特徴とする請求項１に記載のバッテリーパック。
【請求項１０】
前記ブラケットは、前記前方支持部材と隣接する前記後方取付部材に対称的に連結されていることを特徴とする請求項１に記載のバッテリーパック。
【請求項１１】
前記ブラケットは、三角ブラケット、四角ブラケット及び段差型ブラケットであることを特徴とする請求項１に記載のバッテリーパック。
【請求項１２】
前記三角ブラケットは、前記前方支持部材に連結された一端部と、前記後方取付部材に連結された他端部と、を有していることを特徴とする請求項１１に記載のバッテリーパック。
【請求項１３】
前記段差型ブラケットは、前記前方支持部材に連結された一端部と、前記後方取付部材の底部に連結された他端部と、を有していることを特徴とする請求項１１に記載のバッテリーパック。
【請求項１４】
一対の段差型ブラケットの間に取り付けられた補助ブラケットをさらに備えることを特徴とする請求項１３に記載のバッテリーパック。
【請求項１５】
電源として請求項１に記載のバッテリーパックを備えることを特徴とする車輌。
【請求項１６】
該車輌は、電気車輌、ハイブリッド電気車輌またはプラグインハイブリッド電気車輌であることを特徴とする請求項１５に記載の車輌。
【請求項１７】
前記バッテリーパックは、前記車輌におけるトランクの下端部または前記車輌における後部座席と前記トランクとの間に設置されていることを特徴とする請求項１５に記載の車輌。
【発明の詳細な説明】
【技術分野】
【０００１】
本発明は、耐久性が向上したバッテリーパックに関する。より具体的に、本発明は、横方向に２列以上に配置されたバッテリーモジュールを有するバッテリーモジュールアレイと、バッテリーモジュールアレイの前方及び後方を支持するための一対の側面支持部材と、バッテリーモジュールの下端部を支持するための二組の下端部支持部材と、側面支持部材の上端部及びバッテリーモジュールの下端部に連結された２つ以上の第１上方取付部材と、第１上方取付部材と直角に交差するように第１上方取付部材の上端部に連結された第２上方取付部材と、バッテリーモジュールアレイの後方に配置された後方取付部材であって、後方取付部材の両端部が外部装置に留められる、後方取付部材と、側面支持部材を介して後方取付部材にバッテリーモジュールの荷重を分配するために側面支持部材の少なくとも一方と後方取付部材との間に連結されたブラケットと、を含むバッテリーパックに関する。
【背景技術】
【０００２】
化石燃料、例えばガソリン及びディーゼル油を用いる車輌によって引き起こされる最も大きな問題の１つは、大気汚染が生じることである。車輌用動力源として充電及び放電されることができる二次電池を用いる技術は、上述した問題を解決する方法の１つとして大きな注目を集めている。結果として、バッテリーのみを用いて稼働される電気車輌（ＥＶ）と、バッテリー及び従来のエンジンを共に使用するハイブリッド電気車輌（ＨＥＶ）と、が発達している。現在、いくつかの電気車輌及びハイブリッド電気車輌が、商業的に使用されている。ニッケル水素（Ｎｉ−ＭＨ）二次電池が、電気車輌（ＥＶ）及びハイブリッド電気車輌（ＨＥＶ）用の電源として主に使用されてきた。しかしながら、近年では、リチウムイオンバッテリーが使用されてきている。
【０００３】
電気車輌（ＥＶ）及びハイブリッド電気車輌（ＨＥＶ）用の電源として使用されるために、高出力及び大容量が、上記二次電池に対して必要とされている。このために、バッテリーモジュール及びバッテリーパックを形成するため、複数の小型二次電池（ユニットセル）が、互いに直列に接続される。状況に応じ、バッテリーモジュール及びバッテリーパックを形成するために、複数の小型二次電池（ユニットセル）が互いに直列且つ並列に接続される。
【０００４】
通常、このようなバッテリーパックは、バッテリーモジュールを保護する構造を有しており、それぞれのバッテリーモジュールは、その中に取り付けられた二次電池を有している。バッテリーモジュールの構造は、車輌の種類または車輌内でのバッテリーパックの設置位置に基づいて変更可能である。大容量のバッテリーモジュールを効果的に固定する構造の１つは、支持バー及び端部プレートに基づいている。この構造は、荷重が支持バーに向かって加えられるときでさえバッテリーモジュールの運動が最小化される点で有利である。しかしながら、このために、支持バー及び端部プレートの剛性を十分に保証する必要がある。
【０００５】
この場合に関連して、単一のバッテリーモジュールを含む従来のバッテリーパックが、図１の斜視図に図式的に示されている。
【０００６】
図１を参照すると、バッテリーパック１００は、ユニットモジュール１０、ベースプレート２０、一対の端部プレート３０及び支持バー４０を含んでおり、各ユニットモジュール１０は、その中に取り付けられた二次電池を有している。
【０００７】
ユニットモジュール１０は、垂直に立てられた状態でベースプレート２０の頂部に並べられている。端部プレート３０は、下端部がベースプレート２０に固定された状態で最も外側にあるユニットモジュール１０の外面と緊密に接触して配置されている。
【０００８】
支持バー４０は、端部プレート３０を相互接続させ且つ支持するために、２つの端部プレート３０の上方部分の間に接続されている。
【０００９】
しかしながら、上述した構成を有するバッテリーパックは、バッテリーパックに前後方向の外力が加えられたときに、バッテリーパックの前後方向においてバッテリーパックを支持する構造を含んでいないので、バッテリーパックの変形を防止することができない。
【００１０】
従って、高出力並びに大容量が得られるように２列以上に配されたバッテリーモジュールを有し、振動や衝撃に対しても耐久性が補償される特別な構造を持つよう構成され、しかもコンパクトなバッテリーパックが強く求められている。
【先行技術文献】
【特許文献】
【００１１】
【特許文献１】韓国特許出願第２００６−１２３０３号明細書
【特許文献２】韓国特許出願第２００６−２０７７２号明細書
【特許文献３】韓国特許出願第２００６−４５４４４号明細書
【発明の概要】
【発明が解決しようとする課題】
【００１２】
従って、本発明は、上記課題及びまだ解決されていない他の技術的課題を解決するためになされる。
【００１３】
具体的には、本発明の目的は、側面支持部材と後方取付部材との間に連結されたブラケットを含み、それによってバッテリーモジュールの荷重を側面支持部材を介して後方取付部材に分配する、バッテリーパックを提供することである。
【００１４】
本発明の別の目的は、第１上方取付部材、第２上方取付部材、下端部支持部材及び後方取付部材に取り付けられるバッテリーモジュールアレイを含み、第１上方取付部材、第２上方取付部材、下端部支持部材及び後方取付部材が四角パイプの形状に形成され、これにより四角パイプ状部材を通じてバッテリーパックの重量を支持し且つコンパクトな構造を有するバッテリーパックを構成する、バッテリーパックを提供することである。
【００１５】
本発明のさらなる目的は、バッテリーパックが車輌内に安定的に設置され且つ車輌内のバッテリーパックの容積が最小化されるように、バッテリーパックの一部が車輌におけるいくつかの形状を用いて形成される構造を有する、バッテリーパックを提供する。
【課題を解決するための手段】
【００１６】
本発明の一側面によれば、上記及び他の目的は、（ａ）２列以上に配置されたバッテリーモジュールを有するバッテリーモジュールアレイであって、各バッテリーモジュールが、内部に取り付けられた２つ以上のバッテリーセルまたはユニットモジュールを有しており、各バッテリーセルまたはユニットモジュールが上下逆となるように立てられた状態で並べられた構造を有するように構成された、バッテリーモジュールアレイと、（ｂ）バッテリーモジュールアレイの最も外側にあるバッテリーモジュールと緊密に接触してバッテリーモジュールアレイの前方及び後方それぞれを支持するための一対の側面支持部材（前方支持部材及び後方支持部材）と、（ｃ）バッテリーモジュールアレイの下端部を支持するために、側面支持部材の下端部に連結された下端部支持部材と、（ｄ）側面支持部材の上端部及びバッテリーモジュールの下端部に連結された２つ以上の第１上方取付部材であって、各第１上方取付部材の一端部が外部装置に留められる、第１上方取付部材と、（ｅ）第１上方取付部材と直角に交差するように第１上方取付部材の上端部に連結された第２上方取付部材であって、第２上方取付部材の両端部が外部装置に留められる、第２上方取付部材と、（ｆ）バッテリーモジュールアレイの後方に配置された後方取付部材であって、該後方取付部材の両端部が外部装置に留められる、後方取付部材と、（ｇ）側面支持部材を介して後方取付部材にバッテリーモジュールの荷重を分配するために、側面支持部材の少なくとも一方と後方取付部材との間に連結されたブラケットと、を備えるバッテリーパックを提供することによって達成される。
【００１７】
本発明によるバッテリーパックでは、ブラケットは、バッテリーモジュールアレイの最も外側にあるバッテリーモジュールと緊密に接触して配置された側面支持部材の少なくとも一つと、後方取付部材との間に連結されており、前後方向においてバッテリーモジュールの荷重を分配し、これにより、バッテリーパックの構造的特徴、特に振動に対するバッテリーパックの耐久性を向上させる。
【００１８】
また、後方取付部材及び第２上方取付部材の両端部と、各第１上方取付部材の一端部または両端部と、は外部装置に留められている。その結果、バッテリーパックは、外部装置に容易に且つ安定的に取り付けられることが可能となる。
【００１９】
さらに、側面支持部材は、バッテリーモジュールアレイの両側面を支持する。その結果、側面支持部材の下端部に連結された下端支持部材の曲げ剛性が確実に増大し、且つ上下振動に対するバッテリーパックの構造的剛性を十分に保証することが可能となる。
【００２０】
参考のために、本明細書で言及される方向は、バッテリーモジュールアレイをバッテリーモジュールアレイの前方から見た状態（図２の符号Ｃ）において、前方、後方、左、右、頂部及び底部として表現される。
【００２１】
本発明において、各ユニットモジュールは、二次電池または小型モジュールであり、小型モジュールは、その中に取り付けられた２つ以上の二次電池を有する。内部に２つ以上の二次電池を有するユニットモジュールの例は、本出願の出願人の名義で出願された特許文献１に開示されている。この特許文献１の開示では、ユニットモジュールは、入力端子及び出力端子を有する２つの二次電池が、互いに向かい合うように互いに緊密に接触する状態でフレーム部材に取り付けられた構造を有するように構成されている。
【００２２】
ユニットモジュールの別の例は、同様に本出願の出願人の名義で出願された特許文献２及び特許文献３に開示されている。これら特許文献２及び特許文献３のそれぞれの開示では、ユニットモジュールは、２つの二次電池が、互いに向かい合うように緊密に接触する状態で二次電池の外面が一対の高強度セルカバーで覆われた構造を有するように構成されている。
【００２３】
上記の特許出願の開示は、参照することにより本明細書に組み込まれる。しかしながら、言うまでもなく、本発明による各バッテリーモジュールにおける各ユニットモジュールの構造は、上記の特許出願に開示されたユニットモジュールの上記の例に限定されない。
【００２４】
好ましくは、各バッテリーセルは、限られたスペース内に多数並設することを可能とするプレート状バッテリーセルである。例えば、各バッテリーセルは、積層シートから形成されたバッテリーケース内に電極集合体が取り付けられた構造を有するように構成されてもよい。
【００２５】
詳細には、各バッテリーセルは、カソード／セパレータ／アノード構造からなる電極集合体がバッテリーケース内に電解質とともに密封された状態で配置されたポーチ状二次電池(pouch-shaped secondary battery)である。例えば、各バッテリーセルは、幅に対して厚さの小さいほぼ六面体構造に構成されたプレート状二次電池であってもよい。通常、ポーチ状二次電池は、ポーチ状バッテリーケースを含んでいる。バッテリーケースは、高い耐久性を示すポリマー樹脂から形成された外側コーティング層と、水または空気を遮る金属材料から形成されたバリア層と、熱で溶接されることができるポリマー樹脂から形成された内側シーラント層と、が順に積み重ねられた積層シート構造を有するように構成されている。
【００２６】
その一方で、各側面支持部材の形状は、側面支持部材がバッテリーモジュールアレイの前方及び後方を容易に支持することができるものである限り、特に限定されない。例えば、各側面支持部材は、平面で矩形形状から形成されてもよい。
【００２７】
両端部が側面支持部材に連結された下部プレートが、下端部支持部材の下方部分にさらに取り付けられてもよく、これにより、外力がバッテリーパックに加えられたときにバッテリーモジュールアレイが下端部支持部材とともに下方に移動することを防止する。
【００２８】
好ましい実施例では、バッテリーモジュールがバッテリーモジュールアレイを構成するために２列に配置されている場合、下端支持部材は、それぞれのバッテリーモジュールの両側の下端部を支持するために４つの部材を含んでいてもよい。
【００２９】
各第１上方取付部材の構造は、第１上方取付部材が、直立または上下逆に立てられたバッテリーモジュールの下端部に容易に取り付けられることができる限り、特に限定されない。例えば、第１上方取付部材は、バッテリーモジュールアレイの両端部に連結された２つの端部部材と、バッテリーモジュールアレイの中央部に連結された中央部材と、を含んでいてもよい。その結果、第１上方取付部材がバッテリーモジュールアレイの重量を均一に支持することが可能となる。
【００３０】
外部装置に留められた各第１上方取付部材の端部は、第１上方取付部材の上端部に連結された第２上方取付部材の高さによって上方に曲げられてもよい。結果として、第１上方取付部材の端部及び第２上方取付部材の頂部は、同じ高さに配置されてもよい。
【００３１】
場合によっては、バッテリーパックは、バッテリーモジュールアレイの頂部を補強するために、バッテリーモジュールアレイと第１上方取付部材との間に取り付けられた上部プレートをさらに含んでもよい。
【００３２】
上記構造の実施例では、バッテリーモジュールアレイは、バッテリーモジュールアレイの重量が第１上方取付部材によって支持されるように、第１上方取付部材の下端部に固定された上部プレートに連結されてもよい。
【００３３】
別の実施例では、第１上方取付部材に対応する上部プレートの一部は、バッテリーパックの全高さを下げるために押圧されてもよい。
【００３４】
それと同時に、バッテリーパックは、電気的配線構造を含んでもよい。その結果、下部プレートは、延伸するワイヤ、例えば電線を通すスペースを確保するために、後方取付部材の後方まで延在してもよい。
【００３５】
場合によっては、各上方取付部材の他端部は、第１上方取付部材と後方取付部材との間の連結力を増大させるために、後方取付部材の上端部に連結されてもよい。
【００３６】
実施例において、後方取付部材の構造は、後方取付部材がバッテリーモジュールアレイの前方に取り付けられた冷却ファンの両側及び底部を容易に覆うことができるのであれば、特に限定されない。好ましくは、後方取付部材は、Ｕ字状のフレーム構造を有するように構成される。
【００３７】
別の実施例において、後方取付部材の両端部は、外部装置と容易に連結するために第２上方取付部材と平行に曲げられてもよく、留め穴が後方取付部材の曲げられた部分に形成されていてもよい。
【００３８】
好ましい実施例では、ブラケットは、側面支持部材に連結された一端部と、後方取付部材に連結された他端部と、を有していてもよく、ブラケットは、側面支持部材と後方取付部材との間のスペースに対応するように曲げられてもよく、側面支持部材及び後方取付部材には、ブラケットが取り付けられる。
【００３９】
別の好ましい実施例では、ブラケットは、前方支持部材と隣接する後方取付部材に対称的に連結されてもよい。
【００４０】
従って、本発明によれば、前方支持部材及び後方取付部材は、ブラケットを介してバッテリーモジュールを支持しており、これにより、バッテリーパックの前後方向においてバッテリーパックの荷重に起因してバッテリーパックが垂れ下がること及び下部プレートの変形を容易に防止する。
【００４１】
ブラケットは、所望のバッテリーパックの構造に応じてさまざまな形状を有していてもよい。
【００４２】
ブラケットの形状は、ブラケットがバッテリーパックを容易に支持することができるのであれば、特に限定されない。例として、ブラケットは、三角ブラケット、四角ブラケット及び段差型ブラケットであってもよい。
【００４３】
具体的な実施例では、三角ブラケットは、前方支持部材に連結された一端部と、後方取付部材に連結された他端部と、を有していてもよい。
【００４４】
その結果として、バッテリーパックの荷重は、三角ブラケットによって連結された後方取付部材により支持される。
【００４５】
別の具体的な実施例では、段差型ブラケットは、前方支持部材に連結された一端部と、後方取付部材の底部に連結された他端部と、を有していてもよい。
【００４６】
上記の構造において、補助ブラケットが一対の段差型ブラケットの間に取り付けられてもよい。
【００４７】
その結果として、バッテリーパックの荷重は、３つのブラケットによって均一に支持され、これにより、振動に対するバッテリーパックの耐久性がさらに向上する。
【００４８】
本発明の別の側面によれば、上述した構成を有するバッテリーパックを電源として用いた車輌が提供される。この場合、車輌は、限られた設置スペースしかなく、且つ頻繁な振動及び強い衝撃にさらされるものであってもよい。
【００４９】
当然ながら、車輌の電源として使用されるバッテリーパックは、所望の出力及び容量に基づいて組み合わせられ且つ製造されてもよい。
【００５０】
この場合では、車輌は、電気車輌、ハイブリッド電気車輌またはプラグインハイブリッド電気車輌であってもよい。
【００５１】
例えば、バッテリーパックは、車輌におけるトランクの下端部または車輌における後部座席とトランクとの間に設置される。
【００５２】
電源としてバッテリーパックを含む電気車輌、ハイブリッド電気車輌またはプラグインハイブリッド電気車輌は、本発明が関連する当該技術分野で周知であり、従って、その詳細な説明は省略する。
【００５３】
本発明における上記及び他の目的と、特性と、他の利点と、は、添付の図面と併せてもたらされる以下の詳細な説明からより明確に理解される。
【図面の簡単な説明】
【００５４】
【図１】従来のバッテリーパックを示す斜視図である。
【図２】本発明の実施形態による三角ブラケットを含むバッテリーパックの上方部分を示す斜視図である。
【図３】本発明の別の実施形態による四角ブラケットを含むバッテリーパックの上方部分を示す斜視図である。
【図４】本発明のさらなる実施形態による段差型ブラケットを含むバッテリーパックの下方部分を示す斜視図である。
【発明を実施するための形態】
【００５５】
これから、本発明の例示的な実施形態を添付の図面を参照して詳細に説明する。しかしながら、本発明の範囲が図示された実施形態に限定されないことに留意すべきである。
【００５６】
図２〜図４は、理解を容易にするためにいくつかの構成要素が選択的に取り除かれた本発明によるバッテリーパックを示している。しかしながら、図面を参照する本発明の説明からバッテリーパックの構成全体を容易に理解することができる。
【００５７】
まず、図２は、本発明の実施形態による三角ブラケットを含むバッテリーパックの上方部分を示す斜視図である。
【００５８】
図２を参照すると、バッテリーパック８００Ａは、バッテリーモジュールアレイ３００Ａと、一対の側面支持部材、すなわち前方支持部材５７０Ａ及び後方支持部材（図示せず）と、下端部支持部材（図示せず）と、３つの第１上方取付部材５０２Ａ、５０４Ａ及び５０６Ａと、第２上方取付部材５１０Ａと、後方取付部材５２０Ａと、を含んでいる。
【００５９】
三角ブラケット６００は、前方支持部材５７０Ａと後方取付部材５２０Ａとの間に連結されており、これにより、バッテリーモジュールの荷重を前方支持部材５７０Ａを介して後方取付部材５２０Ａに分配する。
【００６０】
バッテリーモジュールアレイ３００Ａは、２列に配置されたバッテリーモジュール３００ａ及び３００ｂを含んでいる。これらバッテリーモジュール３００ａ及び３００ｂのそれぞれは、上下逆となるように立てられながら並べられたユニットモジュールを含んでいる。前方支持部材５７０Ａ及び後方支持部材（図示せず）は、バッテリーモジュールアレイ３００Ａの最も外側にあるバッテリーモジュールと緊密に接触してバッテリーモジュールアレイ３００Ａにおける前方及び後方それぞれを支持している。
【００６１】
下端部支持部材（図示せず）は、前方支持部材５７０Ａ及び後方支持部材（図示せず）の下端部に連結されており、バッテリーモジュールアレイ３００Ａの下端部を支持する。
【００６２】
また、３つの第１上方取付部材５０２Ａ、５０４Ａ及び５０６Ａは、前方支持部材５７０Ａ及び後方支持部材（図示せず）の上端部と、バッテリーモジュール３００ａ及び３００ｂの下端部と、に連結されている。これらバッテリーモジュール３００ａ及び３００ｂは、上下逆となるように立てられている。３つの上方取付部材５０２Ａ、５０４Ａ及び５０６Ａそれぞれの一端部は、外部装置に留められる。
【００６３】
第２上方取付部材５１０Ａは、Ｕ字状のフレーム構造を有するように構成されている。第２上方取付部材５１０Ａは、バッテリーモジュールアレイ３００Ａの前方に配置されている。第２上方取付部材５１０Ａの両端部は、外部装置（例えば車輌）に留められる。
【００６４】
三角ブラケット６００は、前方支持部材５７０Ａに連結された１つの端部と、後方取付部材５２０Ａに連結された他の２つの端部と、を有する。
【００６５】
結果として、三角ブラケット６００が連結された後方取付部材５２０Ａは、バッテリーモジュールの荷重を部分的に支持する。
【００６６】
図３は、本発明の別の実施形態による四角ブラケットを含むバッテリーパックの上方部分を示す斜視図である。
【００６７】
図３を参照すると、第２上方取付部材５１０Ｂは、第２上方取付部材５１０Ｂが第１上方取付部材５０２Ｂ、５０４Ｂ及び５０６Ｂと直角に交差するように、第１上方取付部材５０２Ｂ、５０４Ｂ及び５０６Ｂの上端部に連結されている。第２上方取付部材５１０Ｂの両端部は、外部装置（例えば車輌）に留められる。
【００６８】
また、後方取付部材５２０Ｂの両端部は、第２上方取付部材５１０Ｂと平行に上方に曲げられている。後方取付部材５２０Ｂの曲げられた部分には、外部装置と容易に連結するための留め穴５２２Ｂが形成されている。
【００６９】
場合によっては、第２上方取付部材５１０Ｂの両端部は、後方取付部材５２０Ｂと平行に下方に曲げられていてもよい。第２上方取付部材５１０Ｂの曲げられた部分には、外部装置と容易に連結するための留め穴５１２Ｂが形成されてもよい。
【００７０】
第１上方取付部材５０２Ｂ、５０４Ｂ及び５０６Ｂと、第２上方取付部材５１０Ｂと、後方取付部材５２０Ｂと、は、垂直断面において中空の四角バー、すなわち四角パイプの形状に形成されている。
【００７１】
四角ブラケット６１０の一側の両端部は、前方支持部材５７０Ｂに連結され、四角ブラケット６１０の他側の両端部は、後方取付部材５２０Ｂに連結されている。結果として、四角ブラケット６１０は、バッテリーパックの荷重を支持する。実施形態によるバッテリーパックの他の構成は、図２に示すバッテリーパックのものと同一であり、従って、その詳細な説明は省略する。
【００７２】
図４は、本発明のさらなる実施形態による段差型ブラケットを含むバッテリーパックの下方部分を示す斜視図である。
【００７３】
図４を参照すると、下部プレート５９０Ｃが、射出成形されたポリマー樹脂から形成されている。
【００７４】
段差型ブラケット６２０の一端部は、前方支持部材５７０Ｃに連結され、段差型ブラケット６２０の他端部は、後方取付部材５２０Ｃの底部に連結されている。
【００７５】
この実施形態では、２つの段差型ブラケット６２０が設けられており、補助ブラケット６３０が段差型ブラケット６２０の間に取り付けられている。その結果として、３つのブラケットは、バッテリーパックの荷重を均一に支持し、これによって、バッテリーパックの振動に対する耐久性がさらに向上する。この実施形態によるバッテリーパックの他の構成は、図３に示すバッテリーパックのものと同一であり、従って、その詳細な説明は省略する。
【００７６】
図４の他の部材は、対応する参照符号によって示される図３のものとほぼ同一であるかまたは類似する。
【００７７】
上記の説明から明らかであるように、本発明によるバッテリーパックは、側面支持部材と後方取付部材との間に連結されたブラケットを含む。その結果として、前後方向におけるバッテリーパックの振動及びバッテリーパックの荷重を効果的に支持することが可能である。
【００７８】
また、本発明によるバッテリーパックは、第１上方取付部材、第２上方取付部材、下端部支持部材及び後方取付部材に取り付けられるバッテリーモジュールアレイを含み、第１上方取付部材、第２上方取付部材、下端部支持部材及び後方取付部材は、四角パイプの形状に形成される。その結果として、四角パイプ状部材を通じてバッテリーパックの重量を支持することが可能である。
【００７９】
さらに、バッテリーパックの一部は、車輌におけるいくつかの形状を用いて形成される。その結果として、車輌内にバッテリーパックを安定的に設置することと、車輌内におけるバッテリーパックが占める空間を最小化することと、が可能である。
【００８０】
本発明の例示的な実施形態が図示する目的のために開示されたが、当業者は、添付の特許請求の範囲に開示するように、本発明の範囲及び精神から逸脱することなくさまざまな改良、追加及び置換が可能であることを理解するであろう。
【符号の説明】
【００８１】
３００ａ，３００ｂ  バッテリーモジュール、３００Ａ  バッテリーモジュールアレイ、５０２Ａ，５０４Ａ，５０６Ａ，５０２Ｂ，５０４Ｂ，５０６Ｂ  第１上方取付部材、５１０Ａ，５１０Ｂ  第２上方取付部材、５２０Ａ，５２０Ｂ，５２０Ｃ  後方取付部材、５２２Ｂ  留め穴、５７０Ａ，５７０Ｂ，５７０Ｃ  前方支持部材、５９０Ｃ  下部プレート、６００  三角ブラケット、６１０  四角ブラケット、６２０  段差型ブラケット、６３０  補助ブラケット、８００Ａ  バッテリーパック
【図１】
0005596238.tif 000002
【図２】
0005596238.tif 000003
【図３】
0005596238.tif 000004
【図４】
0005596238.tif 000005